(57)【要約】【課題】手書きの行為を含む操作で、通信網を利用してコンテンツを配信する。【解決手段】記入者は、デジタルペン１００及び通信端末２００を所持し、文書用紙Ｐ１に筆記を行う。文書用紙Ｐ１には、ドット等により座標情報が形成されており、デジタルペン１００が座標情報を読み取ることによって記入者の筆記動作の軌跡が特定される。記入者は、文書用紙Ｐ１にコンテンツの内容や、その公開を希望する日時を記入する。デジタルペン１００により読み取られた座標情報は、サーバ装置３００によって座標を表す文書情報に変換される。サーバ装置３００は、文書情報に基づいてコンテンツデータを生成するとともにそれを公開する日時を特定し、その特定した日時以降に、第三者通信端末４００に対してそのコンテンツデータを配信する。【選択図】図１
2010262536.tif 000002
【特許請求の範囲】
【請求項１】
表示体の表示面に対する筆記の軌跡を含み、当該軌跡によって文書が表された文書情報を前記筆記の記入者の通信端末から取得する文書取得手段と、
前記文書取得手段により取得された文書情報が表す内容の一部を少なくとも含むコンテンツデータを生成する生成手段と、
前記文書取得手段により取得された文書情報が表す軌跡に基づいて、前記生成手段により生成されたコンテンツデータを配信する時期を特定する特定手段と、
前記特定手段により特定された時期よりも後に、前記生成手段により生成されたコンテンツデータを通信網経由で配信する配信制御手段と
を備えることを特徴とするサーバ装置。
【請求項２】
前記特定手段は、前記軌跡に基づいて文字又は記号を認識する認識手段を備え、
前記認識手段により認識された文字又は記号に基づいて前記配信する時期を特定する
ことを特徴とする請求項１に記載のサーバ装置。
【請求項３】
前記特定手段は、前記認識手段により認識された文字又は記号に基づいて削除対象となるコンテンツデータを識別する識別情報を特定し、
前記生成手段により生成されたコンテンツデータと、前記識別情報とを対応付けて記憶する記憶手段と、
前記特定手段により特定された前記識別情報に対応付けて前記記憶手段に記憶されたコンテンツデータを削除する削除手段と
を備えることを特徴とする請求項２に記載のサーバ装置。
【請求項４】
前記文書取得手段により取得された文書情報と対応する画像データを取得する画像取得手段を備え、
前記生成手段は、前記文書取得手段により取得された文書情報と、前記画像取得手段により取得された当該文書情報と対応する画像データとを含むコンテンツデータを生成する
ことを特徴とする請求項１ないし３のいずれかに記載のサーバ装置。
【請求項５】
前記配信制御手段により前記コンテンツデータが配信されると、前記記入者に対して課金を行う課金手段を備えることを特徴とする請求項１ないし４のいずれかに記載のサーバ装置。
【請求項６】
前記文書取得手段により取得された文書情報と対応する広告データを取得する広告取得手段を備え、
前記生成手段は、前記文書取得手段により取得された文書情報と、前記広告取得手段により取得された当該文書情報と対応する広告データとを含むコンテンツデータを生成し、
前記課金手段は、前記コンテンツデータに含まれる前記広告データに応じて前記記入者に対する課金額を決定する
ことを特徴とする請求項５に記載のサーバ装置。
【請求項７】
前記文書情報により表される軌跡は、文字又は記号を表す第１の軌跡と、文字の表示態様を表す第２の軌跡とを含み、
前記生成手段は、前記文書取得手段により取得された文書情報が表す文書が前記第２の軌跡により表される表示態様で表示されるように前記コンテンツデータを生成する
ことを特徴とする請求項１ないし６のいずれかに記載のサーバ装置。
【請求項８】
前記生成手段により生成されたコンテンツデータの内容を前記記入者の通信端末において当該記入者に確認させる確認手段と、
前記確認手段により前記コンテンツデータの内容を前記記入者に確認させた後に、当該記入者の通信端末からの指示に応じて前記コンテンツデータの変更を行う変更手段と
を備えることを特徴とする請求項１ないし７のいずれかに記載のサーバ装置。
【請求項９】
請求項１ないし８のいずれかに記載のサーバ装置と、通信端末と、デジタルペンとを有し、
前記デジタルペンは、
前記表示面に対する筆記の前記軌跡を読み取り、読み取った軌跡を表す軌跡情報を生成する読取手段と、
前記読取手段により生成された軌跡情報を前記通信端末に送信する送信手段と
を備え、
前記通信端末は、
前記デジタルペンの送信手段により送信された軌跡情報を受信する受信手段と、
自端末の前記受信手段により受信された前記軌跡情報を前記サーバ装置に送信する送信手段と
を備え、
前記サーバ装置は、
前記通信端末の送信手段により送信された軌跡情報を受信する受信手段と、
自サーバ装置の前記受信手段により受信された軌跡情報に基づいて前記文書情報を特定する特定手段とを備え、
前記文書情報取得手段は、前記特定手段により特定された前記文書情報を取得する
ことを特徴とする配信システム。
【請求項１０】
コンピュータを、
表示体の表示面に対する筆記の軌跡を含み、当該軌跡によって文書が表された文書情報を前記筆記の記入者の通信端末から取得する文書取得手段と、
前記文書取得手段により取得された文書情報が表す内容の一部を少なくとも含むコンテンツデータを生成する生成手段と、
前記文書取得手段により取得された文書情報が表す軌跡に基づいて、前記生成手段により生成されたコンテンツデータを配信する時期を特定する特定手段と、
前記特定手段により特定された時期よりも後に、前記生成手段により生成されたコンテンツデータを通信網経由で配信する配信制御手段
として機能させるためのプログラム。
【発明の詳細な説明】
【技術分野】
【０００１】
本発明は、ネットワークを利用してコンテンツを公開する技術に関する。
【背景技術】
【０００２】
ウェブページやブログ、ＳＮＳ（Social Networking Service）などを利用して、ユーザは自身で作成したコンテンツをネットワーク上で公開することができる。特許文献１には、ユーザが手書きした内容をウェブデータに変換して、ネットワーク経由で配信する技術が記載されている。特許文献１に記載の技術によれば、高齢者などの、キーボードによる入力に不慣れな者であっても、手書きを主として必要な操作を済ませることができるし、手書きならではの味わいを表現したコンテンツを作成することができる。
【先行技術文献】
【特許文献】
【０００３】
【特許文献１】特開２００６−２６０４２６号公報
【発明の概要】
【発明が解決しようとする課題】
【０００４】
ところで、コンテンツの内容そのものではなく、コンテンツの配信に関する設定に係る操作についても、ユーザが手書きで行うことができれば便利である。
そこで、本発明は、手書きの行為を含む操作で、通信網を利用してコンテンツを配信できるようにすることを目的とする。
【課題を解決するための手段】
【０００５】
本発明に係るサーバ装置は、表示体の表示面に対する筆記の軌跡を含み、当該軌跡によって文書が表された文書情報を前記筆記の記入者の通信端末から取得する文書取得手段と、前記文書取得手段により取得された文書情報が表す内容の一部を少なくとも含むコンテンツデータを生成する生成手段と、前記文書取得手段により取得された文書情報が表す軌跡に基づいて、前記生成手段により生成されたコンテンツデータを配信する時期を特定する特定手段と、前記特定手段により特定された時期よりも後に、前記生成手段により生成されたコンテンツデータを通信網経由で配信する配信制御手段とを備える構成を有する。
【０００６】
本発明に係るサーバ装置は、前記特定手段は、前記軌跡に基づいて文字又は記号を認識する認識手段を備え、前記認識手段により認識された文字又は記号に基づいて前記配信する時期を特定する構成を採用することができる。この構成において、前記特定手段は、前記認識手段により認識された文字又は記号に基づいて削除対象となるコンテンツデータを識別する識別情報を特定し、前記生成手段により生成されたコンテンツデータと、前記識別情報とを対応付けて記憶する記憶手段と、前記特定手段により特定された前記識別情報に対応付けて前記記憶手段に記憶されたコンテンツデータを削除する削除手段とを備える構成を採用することができる。
【０００７】
本発明に係るサーバ装置は、前記文書取得手段により取得された文書情報と対応する画像データを取得する画像取得手段を備え、前記生成手段は、前記文書取得手段により取得された文書情報と、前記画像取得手段により取得された当該文書情報と対応する画像データとを含むコンテンツデータを生成する構成を採用することができる。
【０００８】
本発明に係るサーバ装置は、前記配信制御手段により前記コンテンツデータが配信されると、前記記入者に対して課金を行う課金手段を備える構成を採用することができる。この構成において、前記文書取得手段により取得された文書情報と対応する広告データを取得する広告取得手段を備え、前記生成手段は、前記文書取得手段により取得された文書情報と、前記広告取得手段により取得された当該文書情報と対応する広告データとを含むコンテンツデータを生成し、前記課金手段は、前記コンテンツデータに含まれる前記広告データに応じて前記記入者に対する課金額を決定する構成を採用することができる。
【０００９】
本発明に係るサーバ装置は、前記文書情報により表される軌跡は、文字又は記号を表す第１の軌跡と、文字の表示態様を表す第２の軌跡とを含み、前記生成手段は、前記文書取得手段により取得された文書情報が表す文書が前記第２の軌跡により表される表示態様で表示されるように前記コンテンツデータを生成する構成を採用することができる。
【００１０】
本発明に係るサーバ装置は、前記生成手段により生成されたコンテンツデータの内容を前記記入者の通信端末において当該記入者に確認させる確認手段と、前記確認手段により前記コンテンツデータの内容を前記記入者に確認させた後に、当該記入者の通信端末からの指示に応じて前記コンテンツデータの変更を行う変更手段とを備える構成を採用することができる。
【００１１】
本発明に係る配信システムは、上述した本発明に係るサーバ装置と、通信端末と、デジタルペンとを有し、前記デジタルペンは、前記表示面に対する筆記の前記軌跡を読み取り、読み取った軌跡を表す軌跡情報を生成する読取手段と、前記読取手段により生成された軌跡情報を前記通信端末に送信する送信手段とを備え、前記通信端末は、前記デジタルペンの送信手段により送信された軌跡情報を受信する受信手段と、自端末の前記受信手段により受信された前記軌跡情報を前記サーバ装置に送信する送信手段とを備え、前記サーバ装置は、前記通信端末の送信手段により送信された軌跡情報を受信する受信手段と、自サーバ装置の前記受信手段により受信された軌跡情報に基づいて前記文書情報を特定する特定手段とを備え、前記文書情報取得手段は、前記特定手段により特定された前記文書情報を取得する構成を有する。
【００１２】
本発明に係るプログラムは、コンピュータを、表示体の表示面に対する筆記の軌跡を含み、当該軌跡によって文書が表された文書情報を前記筆記の記入者の通信端末から取得する文書取得手段と、前記文書取得手段により取得された文書情報が表す内容の一部を少なくとも含むコンテンツデータを生成する生成手段と、前記文書取得手段により取得された文書情報が表す軌跡に基づいて、前記生成手段により生成されたコンテンツデータを配信する時期を特定する特定手段と、前記特定手段により特定された時期よりも後に、前記生成手段により生成されたコンテンツデータを通信網経由で配信する配信制御手段として機能させる構成を有する。
【発明の効果】
【００１３】
本発明によれば、手書きの行為を含む操作で、通信網を利用してコンテンツを配信することが可能となる。
【図面の簡単な説明】
【００１４】
【図１】配信システムの構成を示す図
【図２】文書用紙を例示する図
【図３】デジタルペンの構成を示すブロック図
【図４】通信端末の構成を示すブロック図
【図５】サーバ装置の構成を示すブロック図
【図６】制御部が実現する機能を示す機能ブロック図
【図７】データ生成処理部が実現する機能を示す機能ブロック図
【図８】第三者通信端末の構成を示すブロック図
【図９】配信システムにおける動作を示すシーケンスチャート
【図１０】データ生成処理を示すフローチャート
【図１１】表示態様を指定可能な文書用紙を例示する図
【発明を実施するための形態】
【００１５】
［実施形態］
図１は、本発明の一実施形態である配信システムの構成を示す図である。本実施形態の配信システム１０は、ユーザである記入者が筆記した情報を示すコンテンツデータを配信するためのシステムであり、デジタルペン１００と、通信端末２００と、サーバ装置３００と、第三者通信端末４００とを備える。デジタルペン１００及び通信端末２００は、コンテンツデータを配信するための情報の記入者に所持される。第三者通信端末４００は、記入者から見て第三者のユーザであって、サーバ装置３００により配信されるコンテンツデータの内容を閲覧するユーザによって所持される。なお、ここでは、１つの第三者通信端末４００のみを示しているが、第三者通信端末４００と同じように機能する通信端末が現実には多数存在する。以下の説明では、簡単のために第三者通信端末４００のみについて説明する。
なお、本実施形態において、文書とは、第三者に向けてネットワークを通じて情報が配信されてその内容が公開されるものをいい、文字や記号、絵などの情報を含む。
【００１６】
デジタルペン１００は、筆記された情報を読み取る機能を有する筆記具であり、文書用紙Ｐ１に文字や記号、絵などを記入するための先端部（ペン先）を有する。ペン先は、インク等の記録材が供給され、又はシャープペンシル等の芯が取り付けられる構成である。また、デジタルペン１００は、文書用紙Ｐ１の表示面に形成された座標情報を撮影することにより、記入者による筆記の軌跡を読み取る。デジタルペン１００は、読み取った軌跡を表す軌跡情報を生成して通信端末２００に送信する。通信端末２００は、軌跡情報をデジタルペン１００から受信し、受信した軌跡情報をサーバ装置３００に送信する。通信端末２００及び第三者通信端末４００は、例えば、それぞれ携帯電話機である。通信端末２００とサーバ装置３００とは、ネットワークＮＷ１により接続されている。サーバ装置３００と第三者通信端末４００とは、ネットワークＮＷ２により接続されている。ネットワークＮＷ１は、例えば移動体通信網であり、ネットワークＮＷ２は、例えば移動体通信網やインターネット、ゲートウェイを含む通信網であるが、他の種類のネットワーク（通信網）であってもよい。また、ネットワークＮＷ１とＮＷ２とが共通のネットワークにより実現されてもよい。
【００１７】
サーバ装置３００は、軌跡情報を通信端末２００から受信し、受信した軌跡情報に基づいて文書情報を特定する。文書情報は、記入者が指定した位置の座標を表す情報であり、記入者の筆記動作に応じて変化する情報である。すなわち、文書情報は、時間に応じて変化する情報であり、その時間的変化によって軌跡（すなわち筆跡）が特定されるものである。なお、ここでいう軌跡には、座標が連続的に変化する線状の軌跡と、ある１点の座標が指定された点状の軌跡とが含まれる。サーバ装置３００は、この文書情報を用いて、文書の内容を表したコンテンツデータの公開希望日時を特定するなどの所定の処理を実行する。コンテンツデータの公開希望日時は、記入者が希望する、コンテンツデータの内容を公開する時期である。サーバ装置３００は、文書情報に基づいてコンテンツデータを生成するとともに、記入者が指定した公開希望日時よりも後に、ネットワークＮＷ２経由でコンテンツデータを配信する。
第三者通信端末４００は、サーバ装置３００にアクセスすることにより、サーバ装置３００により配信されるコンテンツデータを受信し、受信したコンテンツデータの内容を表示する。
【００１８】
文書用紙Ｐ１は、表示面に座標情報が形成された表示体である。文書用紙Ｐ１の材質は、例えば紙であるが、繰り返し使用する場合であれば、表面が平滑なプラスチックなどを採用し、筆記後の表示面の消去を容易にするとよい。座標情報は、例えば、所定の規則で配置された微細なドット（点）であり、文書用紙Ｐ１の表示面の位置を表している。座標情報は、望ましくは、表示面の任意の１点を原点とした直交座標系によって位置を表す。座標情報は、印刷等により容易には消えないように形成されていることが望ましいが、記入者による筆記を妨げないように、目立たない色（例えば、淡いグレーなど）で形成されていると、より好適である。
【００１９】
図２は、本実施形態の文書用紙Ｐ１を例示する図である。なお、座標情報は、ここでは図示しない。本実施形態の文書用紙Ｐ１は、表面（おもてめん）と裏面（うらめん）が表示面である。すなわち、本実施形態の文書用紙Ｐ１は、表示面を２面有する。文書用紙Ｐ１の表面には、掲載内容欄Ｐ１１、公開希望日時欄Ｐ１２、種別欄Ｐ１３及び送信欄Ｐ１４が設けられ、各欄の範囲を規定する枠線があらかじめ引かれている。文書用紙Ｐ１の裏面は、座標情報が形成されていることを除けば、いわゆる白紙の状態であり、記入者が文字や絵などを自由に記入できるようになっている。
【００２０】
掲載内容欄Ｐ１１は、記入者が作成するコンテンツの内容を記入する欄である。公開希望日時欄Ｐ１２は、コンテンツの公開を希望する日時である「公開希望日時」を記入する欄である。ここでは、公開希望日時は、即時の公開を指定する「即時」と、現時点よりも後の日時での公開を指定する「日時指定」とのいずれかを表す。文書用紙Ｐ１には、各種別を指定するチェックボックスが設けられており、「日時指定」については、さらに公開希望日時を記入する欄（括弧内）が設けられている。ここでは括弧内に予め「年」、「月」、「日」、「時」、「分」、「秒」と記されており、この記載に合うように、記入者は公開希望日時の内容を記入する。なお、公開希望日時欄Ｐ１２は、例えば日付を指定し、時間を指定しないものであってもよく、「年」、「月」、「日」、「時」、「分」、「秒」のうちの一部の内容を指定するだけでもよい。また、公開希望日時欄Ｐ１２は、記号（○、×など）を記入することによって複数の選択肢の中から公開希望日時を選択する形式であってもよい。また、“２４時間後”や“１週間後の午後２時００分”という具合に、公開を希望する時期までの期間を指定する形式を用いてもよく、公開希望日時を指定するものであればその形式は問わない。
【００２１】
種別欄Ｐ１３は、処理の種別を記入する欄である。ここでいう種別は、掲載内容欄Ｐ１１に記入された内容に応じたコンテンツの公開を指定する「公開」と、サーバ装置３００によって既に生成されたコンテンツデータの削除を指定する「削除」とのいずれかを表す。文書用紙Ｐ１には、各種別を指定するチェックボックスが設けられているが、「削除」については、さらに削除対象のコンテンツデータを識別するための識別番号を記入する欄（「削除対象番号」の表記に後続する括弧内）が設けられている。なお、削除対象の識別番号を記入する欄は、カンマを用いて各識別番号を区切る等して複数指定できるようにすることが望ましい。送信欄Ｐ１４は、文書用紙Ｐ１に記入された内容を通信端末２００に送信する旨を指定するための欄である。デジタルペン１００で送信欄Ｐ１４にチェック等の文字や記号が記入されると、これを契機として、デジタルペン１００内に蓄積された軌跡情報が通信端末２００に送信される。
【００２２】
図３は、デジタルペン１００の構成を示すブロック図である。同図に示すように、デジタルペン１００は、操作部１１０と、読取部１２０と、送信部１３０と、蓄積部１４０とを備える。操作部１１０は、筆記時の操作を受け付けるための操作ボタンを備え、読取部１２０及び送信部１３０の動作を制御する。操作部１１０は、例えば操作ボタンであってもよいし、デジタルペン１００のキャップの開閉状態を検知して、記入者によって使用されていることを意味する開状態を検知したときには、読取部１２０、送信部１３０及び蓄積部１４０の動作の制御を行うようにしてもよい。読取部１２０は、座標情報を読み取るためのセンサを備え、撮影した表示面を表す軌跡情報を生成し、蓄積部１４０に供給する。読取部１２０が読み取りを行う位置は、ペン先近傍の所定の範囲であり、筆記者の筆記動作に応じて移動する。また、読取部１２０が備るセンサは、例えば、ＣＣＤ（Charge Coupled Device）イメージセンサである。なお、読取部１２０は、読み取りの精度を向上させるために、表示面に対して読み取り時に光を照射する光源を備えてもよい。蓄積部１４０は、読取部１２０から供給される軌跡情報を蓄積する。送信部１３０は、文書用紙Ｐ１の送信欄Ｐ１４に記入が行われると、蓄積部１４０に蓄えられた軌跡情報を読み出して通信端末２００に送信する。なお、デジタルペン１００と通信端末２００とが行う通信は、有線であってもよいが、無線であるとより好ましい。
【００２３】
図４は、通信端末２００の構成を示すブロック図である。同図に示すように、通信端末２００は、制御部２１０と、受信部２２０と、通信部２３０と、操作部２４０と、報知部２５０とを備える。制御部２１０は、ＣＰＵ（Central Processing Unit）等の演算処理装置やメモリを備え、プログラムを実行することにより通信端末２００の各部の動作を制御する。受信部２２０は、デジタルペン１００の送信部１３０から送信された軌跡情報を受信する。通信部２３０は、ネットワークＮＷ１と通信を行うための通信インターフェースを備え、サーバ装置３００とデータの送受信を行う。操作部２４０は、記入者の操作を受け付けるための操作ボタンを備え、操作に応じた操作情報を生成して制御部２１０に供給する。報知部２５０は、液晶ディスプレイ等の表示装置やスピーカを備え、情報を視覚的又は聴覚的に報知する。
【００２４】
図５は、サーバ装置３００の構成を示すブロック図である。同図に示すように、サーバ装置３００は、制御部３１０と、記憶部３２０と、第１通信部３３０と、第２通信部３４０と、公開データ格納部３５０とを備える。制御部３１０は、演算処理装置やメモリを備え、プログラムを実行することによりサーバ装置３００の各部の動作を制御する。記憶部３２０は、ハードディスク等の記憶媒体を備え、制御部３１０が処理を実行するために必要なデータを記憶する。記憶部３２０が記憶するデータには、文書に付加される画像を表すデータ（以下、「付加画像データ」という。）の集合である付加画像データベースや、付加画像データベースに記憶された付加画像データと文章情報とを合成して生成されるコンテンツデータ、課金情報、文書用紙Ｐ１の掲載内容欄Ｐ１１の記載内容を表すデータ、公開希望日時欄Ｐ１２及び種別欄Ｐ１３の各欄における座標と文字認識処理の要否に関する情報（後述する、文字認識補足情報）などがある。第１通信部３３０は、ネットワークＮＷ１と通信を行うための通信インターフェースを備え、第２通信部３４０は、ネットワークＮＷ２と通信を行うための通信インターフェースを備える。公開データ格納部３５０は、記憶部３２０に記憶されたコンテンツデータのうち、第三者通信端末４００でその内容の表示を可能にするコンテンツデータを格納する格納媒体である。公開データ格納部３５０は、コンテンツデータの内容をブラウザによって閲覧可能な形式で格納する。つまり、記憶部３２０から公開データ格納部３５０に転送されたコンテンツデータは、制御部３１０の制御の下、ネットワークＮＷ２を経由して配信され、第三者通信端末４００によりその内容が閲覧可能な状態となる。一方、記憶部３２０に記憶されたコンテンツデータについては、制御部３１０はこれを配信することはなく、その内容は非公開の状態となっている。
【００２５】
上述した付加画像データは、文書の種別が対応付けられており、それぞれの種別に応じた画像を表している。例えば、文書用紙Ｐ１の種別が「夏休み」である付加画像データの表す画像は、海の写真を表したり、蝉のイラストであったりする。付加画像データは、文書情報に含まれる掲載内容欄Ｐ１１の内容を表すデータと合成され、この合成によりコンテンツデータが生成される。
なお、付加画像データベースは、本実施形態においては記憶部３２０に記憶されているとするが、サーバ装置３００自体ではなく、外部の記憶装置に記憶されていてもよい。
【００２６】
図６は、制御部３１０が実現する機能を示す機能ブロック図である。制御部３１０は、１又は複数のプログラムを実行することにより、同図に示すデータ生成処理部３１１、転送処理部３１２、通信処理部３１３、課金処理部３１４及び識別処理部３１５に相当する機能を実現する。データ生成処理部３１１は、文書情報に基づいて、コンテンツデータを生成する。以下においては、データ生成処理部３１１がコンテンツデータを生成するために実行する処理のことを、「データ生成処理」という。コンテンツデータは、文書情報の一部を少なくとも含む。なお、コンテンツデータのファイル形式はいかなるものでもよいが、例えばＨＴＭＬ（HyperText Markup Language）形式が採用される。転送処理部３１２は、データ生成処理部３１１により生成されたコンテンツデータを、このコンテンツデータに対応付けられた公開希望日時に応じた時期に公開データ格納部３５０に転送する。通信処理部３１３は、文書情報がサーバ装置３００に送信されて記憶部３２０に記憶されたことを報知する機能や、コンテンツデータが公開データ格納部３５０に転送されて格納されることによりその内容が公開された状態となったことを記入者に通知する機能、コンテンツデータの内容を記入者に確認させて、コンテンツデータの変更を受け付ける機能を有する。
【００２７】
識別処理部３１５は、文書用紙Ｐ１上の座標情報に基づいて記入者を識別する。本実施形態では、文書用紙毎に異なる座標が割り当てられており、記入者と文書用紙上の座標との対応付けを予め行っておくことにより記入者を識別することを可能にしている。具体的には、記憶部３２０には記入者を識別する識別情報（後述する「ユーザＩＤ」）と、文書用紙Ｐ１に割り当てられた座標を意味する情報との対応関係が記憶されている。識別処理部３１５は、文書情報に基づいて座標情報を特定すると、この座標情報と、記憶部３２０に記憶された対応関係とに基づいて、両者の座標が一致するものを探して記入者を識別する。課金処理部３１４は、公開データ格納部３５０にコンテンツデータが格納されてその内容が公開された状態になると、その公開の対価として記入者に対して課金を行う。課金処理部３１４は、識別処理部３１５により識別された記入者への課金を行い、その課金額を含む課金情報を記憶部３２０に記憶する。
【００２８】
図７は、データ生成処理部３１１の構成をより詳細に示す機能ブロック図である。データ生成処理部３１１は、より詳細には、取得部３１１１、特定部３１１２、生成部３１１３、及び出力部３１１４を有する。取得部３１１１は、文書情報を取得する。特定部３１１２は、取得部３１１１により取得された文書情報に基づいて軌跡を特定し、その軌跡から公開希望日時欄Ｐ１２の記載内容、及び種別欄Ｐ１３の記載内容を特定する。特定部３１１２による特定には、周知の文字認識処理が用いられる。ここにおいて、文字認識処理とは、文書情報が表す軌跡から文字又は記号を認識する処理をいう。生成部３１１３は、取得部３１１１により取得された文書情報と、記憶部３２０に記憶された付加画像データとを用いて、コンテンツデータを生成する。出力部３１１４は、生成部３１１３により生成されたコンテンツデータを、特定部３１１２により特定された公開希望日時や種別に基づいて、公開希望日時と同時、或いはその公開希望日時よりも後の時期に、公開データ格納部３５０に転送する。
【００２９】
図８は、第三者通信端末４００の構成を示すブロック図である。同図に示すように、第三者通信端末４００は、制御部４１０と、通信部４２０と、操作部４３０と、報知部４４０とを備える。制御部４１０は、ＣＰＵ等の演算処理装置やメモリを備え、プログラムを実行することにより第三者通信端末４００の各部の動作を制御する。通信部４２０は、ネットワークＮＷ２と通信を行うための通信インターフェースを備え、サーバ装置３００とデータの送受信を行う。操作部４３０は、第三者通信端末４００のユーザの操作を受け付けるための操作ボタンを備え、操作に応じた操作情報を生成して制御部４１０に供給する。報知部４４０は、液晶ディスプレイ等の表示装置やスピーカを備え、情報を視覚的又は聴覚的に報知する。
【００３０】
本実施形態の配信システム１０の構成は、以上のとおりである。この構成のもと、記入者は、デジタルペン１００により文字や絵等を文書用紙Ｐ１に書き込む筆記動作を行う。記入者の筆記動作は、文書情報として表され、通信端末２００を介してサーバ装置３００に送信される。そして、サーバ装置３００により所定の処理を経て文書情報に基づいてコンテンツデータが生成されて、ネットワークＮＷ２経由で配信されて、その内容が公開される。
【００３１】
図９は、記入者が筆記動作を行ってからの配信システム１０における動作を示すシーケンスチャートである。同図に示すように、デジタルペン１００は、記入者の筆記動作に応じて座標情報を読み取り（ステップＳ１０１）、読み取った軌跡情報を蓄積しておく。デジタルペン１００は、送信欄Ｐ１４に記入が行われたことを契機として、蓄積しておいた軌跡情報を通信端末２００に送信する（ステップＳ１０２）。通信端末２００は、この軌跡情報をサーバ装置３００に送信する（ステップＳ１０３）。このとき、通信端末２００は、文書情報の基となる軌跡情報だけでなく、記入者を識別するための識別情報（以下、「ユーザＩＤ」という。）を特定するための軌跡情報も送信することになる。
【００３２】
サーバ装置３００は、軌跡情報を受信すると、この軌跡情報に基づいてユーザＩＤを特定してこれを取得するとともに、文書情報が表す文書のそれぞれに割り当てられる識別情報である「文書ＩＤ」を生成する（ステップＳ１０４）。文書ＩＤは、過去に生成したコンテンツデータの履歴に基づいて、各々のコンテンツデータに対して割り当てられたものと重複しないように固有のものが生成される。文書ＩＤは、後述する課金処理等の処理に用いられる。次に、サーバ装置３００は、軌跡情報に基づいて「データ生成処理」を実行する（ステップＳ１０５）。
【００３３】
図１０は、データ生成処理を示すフローチャートである。データ生成処理において、サーバ装置３００の制御部３１０は、軌跡情報に基づいて文書情報を取得する（ステップＳ２０１）。次に、制御部３１０は、取得した文書情報に基づいて、記入者による筆記の軌跡を認識する（ステップＳ２０２）。このとき、制御部３１０は、軌跡を認識することにより、記入者がデジタルペン１００により指定した位置の座標がどのように遷移したかを特定する。
【００３４】
制御部３１０は、軌跡の認識を終えると、文書情報が表す文書の種別、及び公開希望日時を特定する（ステップＳ２０３）。文書の種別、及び公開希望日時の特定は、公開希望日時欄Ｐ１２及び種別欄Ｐ１３のそれぞれへの記入内容に対する文字認識処理により行われる。このとき、制御部３１０は、文書用紙Ｐ１の表面に相当する画像に文字認識処理を行うが、裏面に相当する画像には文字認識処理を行わなくてもよい。掲載内容欄Ｐ１１、公開希望日時欄Ｐ１２及び種別欄Ｐ１３の各欄の座標、及び文字認識補足情報はあらかじめ記憶部３２０に記憶されており、制御部３１０は、ステップＳ２０３において文字認識補足情報に従って、文字認識処理が必要な領域に対して文字認識処理を行う。つまり、この文字認識補足情報により、文字認識の要否の判断と、文字認識処理とを容易に行えるようにしている。なお、制御部３１０は、このとき認識した文字等をテキストデータに変換してもよい。ここにおいて、テキストデータとは、文字等を文字コードによって表現したデータをいう。
【００３５】
次に、制御部３１０は、ステップＳ２０３で特定した種別が「公開」か、又は「削除」のどちらであるかを判断する（ステップＳ２０４）。ここで、制御部３１０は、種別が「公開」であると判断すると（ステップＳ２０４；公開）、文書情報を記憶部３２０に記憶する（ステップＳ２０５）。そして、制御部３１０は、この文書情報と対応する付加画像データを取得し（ステップＳ２０６）、文書情報と付加画像データとを合成して、コンテンツデータを生成する。そして、制御部３１０は、コンテンツデータと、各コンテンツデータを識別するための固有の識別番号とを対応付けて、記憶部３２０に記憶させる（ステップＳ２０７）。この実施形態では、コンテンツを識別する識別番号として、ステップＳ１０４で生成される文書ＩＤと共用されるが、文書ＩＤ以外のものが用いられてもよい。この識別番号は、例えば不要となったコンテンツデータを削除する場合に、削除対象のものを識別するために用いられる。
【００３６】
次に、制御部３１０は、ステップＳ２０３で特定した公開希望日時が「即時」か、又は「日時指定」のどちらであるかを判断する（ステップＳ２０８）。ここで、制御部３１０は、公開希望日時が「即時」であると判断すると（ステップＳ２０８；即時）、公開希望日時を現在日時として、コンテンツデータに対応付けて記憶させる（ステップＳ２０９）。一方、制御部３１０は、公開希望日時が「日時指定」であると判断すると（ステップＳ２０８；日時指定）、特定した公開希望日時を、コンテンツデータに対応付けて記憶させる（ステップＳ２１０）。
【００３７】
上記ステップＳ２０４で、制御部３１０が、ステップＳ２０３において特定した種別が「削除」であると判断した場合（ステップＳ２０４；削除）、種別欄Ｐ１３の記入内容に基づき、削除対象のコンテンツデータの識別番号を特定する（ステップＳ２１１）。この識別番号は、ステップＳ２０７でコンテンツデータに対応付けられる識別番号である。次に、制御部３１０は、削除対象のコンテンツデータの識別番号に対応する文書情報と、この文章情報から生成されたコンテンツデータとを、記憶部３２０及び公開データ格納部３５０のそれぞれから削除する（ステップＳ２１２）。このステップＳ２１２では、制御部３１０は、公開希望日時以降であり、配信可能なコンテンツデータについては記憶部３２０及び公開データ格納部３５０に記憶（格納）されたコンテンツデータを削除するし、公開希望日時よりも前であり、配信可能でないコンテンツデータについては記憶部３２０に記憶されたコンテンツデータを削除する。なお、制御部３１０は、コンテンツデータを削除すると、その旨を通信端末２００に通知することが望ましい。
以上が、「データ生成処理」の説明である。
【００３８】
図９に戻って説明する。なお、制御部３１０がステップＳ２１１，２１２の処理を実行するデータ生成処理を行った場合には、以下に説明する処理についてはスキップする。
コンテンツデータを生成するための「データ生成処理」が終了すると、サーバ装置３００は、記入者の通信端末２００にその旨を通知する（ステップＳ１０６）。ここで通知される情報には、例えばコンテンツデータや記入者が指定した公開希望日時、コンテンツデータの識別番号が含まれる。ここでは、コンテンツを識別する識別番号は、上述したようにステップＳ１０４で生成される文書ＩＤである。ステップＳ１０４の通知は、サーバ装置３００が記入者にコンテンツデータの内容を確認させるためのものである。この通知に応じて、通信端末２００は、コンテンツデータ、各コンテンツデータを識別する識別番号、及び公開希望日時を報知部２５０によって報知する（ステップＳ１０７）。ここで、記入者は、報知部２５０の表示から、コンテンツデータの内容や公開希望日時などを確認し、必要に応じて修正を行う。この修正は、記入者が通信端末２００の操作部２４０を操作することにより行われる。修正が行われた場合、通信端末２００は、その修正内容をサーバ装置３００に送信する（ステップＳ１０８）。サーバ装置３００は、この修正内容に応じて、記憶部３２０に記憶していたコンテンツデータや公開希望日時を修正するべく、その内容を変更する。なお、サーバ装置３００は、通信端末２００からの修正内容に応じて修正するとともに、その修正結果を記入者に確認させてもよい。この場合、サーバ装置３００は、修正後のコンテンツデータや公開希望日時を通信端末２００に送信する。また、サーバ装置３００は、このときにも修正を受け付けるようにしても良い。
【００３９】
次に、サーバ装置３００は、公開希望日時が到来したか否かを判断する。制御部３１０が、ステップＳ２０３で公開希望日時として「即時」と特定した場合、公開希望日時が到来したと判断する（ステップＳ１０９；ＹＥＳ）。この場合、サーバ装置３００においては、記憶部３２０に記憶されていたコンテンツデータを公開データ格納部３５０に転送してその内容を閲覧可能な状態とすることにより、コンテンツデータの内容を公開する（ステップＳ１１０）。なお、公開データ格納部３５０におけるコンテンツデータの配置箇所は、ステップＳ１０４で取得されたユーザＩＤと文書ＩＤとに基づいて決定される。つまり、制御部３１０は、記入者であるユーザに割り当てられた領域にコンテンツデータを格納するように、その配置箇所を決定する。これにより、コンテンツデータがユーザ毎に管理される。続いて、サーバ装置３００は、コンテンツデータの内容の公開の対価として、記入者に対して課金を行う（ステップＳ１１１）。サーバ装置３００は、ステップＳ１０４で取得したユーザＩＤに基づいて、どの記入者に課金を行うかを決定する。そして、サーバ装置３００は、第三者通信端末４００からコンテンツデータにアクセスがあった場合には、そのコンテンツデータを第三者通信端末４００に送信することによって、コンテンツデータを配信する（ステップＳ１１２）。コンテンツデータを受信した第三者通信端末４００は、その内容を表示する。
一方、制御部３１０は、公開希望日時が「日時指定」と指定され、ステップＳ１０９で公開希望日時が到来していないと判断すると（ステップＳ１０９；ＮＯ）、公開希望日時が到来するまでは、コンテンツデータを記憶部３２０に記憶させたままにしておく。これにより、記入者により指定された公開希望日時が到来するまではその内容が非公開とされる。
【００４０】
以上のとおり、本実施形態の配信システム１０によれば、記入者は、ネットワークを通じたコンテンツの公開に係る動作の大部分を、手書きの行為を含む操作により行うことが可能である。公開希望日時の設定やコンテンツデータの削除など、コンテンツの公開に関する設定については専門的で高度な知識を要することもあるが、この設定の操作についても手書き操作で行うことができる。これにより、本実施形態の配信システム１０は、記入者が手書きの文書に慣れ親しんでいる者であっても、手書きに近い操作のみで行えることを可能にし、例えば、キーボードやマウスなどを用いて文字入力することを要しない。
【００４１】
［変形例］
本発明は、上述した実施形態に限らず、他の態様によっても実施可能である。本発明は、例えば、以下に示す各例の態様によっても実施可能である。なお、本発明は、これらの変形例を組み合わせて適用したものであってもよい。
【００４２】
（変形例１）
上述した実施形態では、ユーザＩＤを特定するために、文書用紙毎に異なる座標情報を割り当てておき、その座標情報に基づいて、サーバ装置３００が記入者を識別していたが、記入者を識別するための構成はこれに限らない。例えば、通信端末２００が、ステップＳ１０３において自端末に割り当てられた固有の識別番号（固体識別番号）を軌跡情報とともに送信し、この識別番号から、サーバ装置３００がユーザＩＤを特定してもよい。また、通信端末２００へのログインに用いられるユーザＩＤを、通信端末２００がサーバ装置３００に送信し、サーバ装置３００がユーザＩＤを特定できるようにしてもよい。これらの構成で記入者を特定するようにすれば、例えば市役所やイベント会場など、公共の場所にデジタルペンを設置しておき、不特定多数のユーザがこのペンを共有するようにしても、サーバ装置３００は、文書の記入者が誰であるかを特定することができる。この場合、ユーザがデジタルペン１００を持ち歩いたり、記入者を識別するための情報を記入したりしなくても、コンテンツデータの生成やその配信が可能となる。
また、デジタルペン１００に識別番号を割り当てておき、デジタルペン１００が自身に割り当てられたＩＤを軌跡情報とともに通信端末２００に送信する。そして、通信端末２００は、このＩＤからユーザを特定してもよい。ただし、この構成の場合、複数のユーザがデジタルペン１００を供給することができない。なお、記入者を特定するための構成は、前掲したもののいずれか１つを適用してもよいし、複数を組み合わせるようにしてもよい。また、ユーザＩＤには、通信端末２００の電話番号や、メールアドレスなどを用いることができる。
【００４３】
（変形例２）
上述した付加画像データは、文書情報と対応する画像データの一例である。かかる画像データの他の例としては、通信端末２００に記憶された画像データを挙げることができる。例えば、通信端末２００がいわゆるカメラ付きの携帯電話機であり、撮影により得られた画像データを保存できる構成の場合、この通信端末２００が文書情報とともに画像データを送信し、その画像データが表す画像を文書に含めるようにしてもよい。
【００４４】
（変形例３）
本発明に係るデジタルペンは、所定の位置を指定することにより文書の表示態様を指定する構成とすることができる。表示態様には、文字等の軌跡の色、太さ、パターン（破線、点線など）などが含まれる。
【００４５】
図１１は、表示態様を指定可能な文書用紙を例示する図である。なお、ここでは、文書用紙の裏面のみを例示し、座標情報は図示しない。同図に示す文書用紙Ｐ１ａには、筆記欄Ｐ１５と表示態様指定欄Ｐ１６とが設けられている。表示態様指定欄Ｐ１６には、文字等の軌跡の色として、「黒」、「赤」、「緑」を指定するための位置Ｐｂ、Ｐｒ及びＰｇが強調表示されている。これらの位置Ｐｂ、Ｐｒ及びＰｇは、あらかじめ決められた座標であり、当該座標に対応する点を指定することで色が認識されるようになっている。なお、位置Ｐｂ、Ｐｒ及びＰｇには、座標情報に代えて、バーコード等の符号化された情報が記述されていてもよい。
【００４６】
例えば、ユーザがデジタルペンで位置Ｐｂを指定し、その後に筆記欄Ｐ１５に文字又は記号を記入すると、それぞれの座標を表す座標情報が読み取られる。サーバ装置は、このような文書情報を取得すると、筆記欄Ｐ１５に記入された文字又は記号を表す第１の軌跡と、表示態様指定欄Ｐ１６に記入された、文字の表示態様を表す第２の軌跡とを認識する。そして、サーバ装置は、筆記欄Ｐ１５中の指定された座標の表す文字が表示態様指定欄Ｐ１６中の指定された座標の表す色（すなわち黒）で表示されるようにコンテンツデータを生成する。このようにすれば、デジタルペンにより記入可能な色を問わず、文書に表示される軌跡の色を変えることができる。
【００４７】
なお、表示態様は、途中で変更することも可能である。例えば、表示態様指定欄Ｐ１６の位置Ｐｂを指定した後に筆記欄Ｐ１５に「あ」と記入し、続いて、表示態様指定欄Ｐ１６の位置Ｐｒを指定した後に筆記欄Ｐ１５に「い」と記入すれば、「あ」が黒で表示され、「い」が赤で表示される文書を作成することが可能である。
また、本例において、表示態様を指定する欄は、上述した実施形態の公開希望日時欄Ｐ１２や種別欄Ｐ１３と同様に、第三者に伝えなくてもよい情報が記述された欄であるといえる。よって、表示態様を指定する欄は、他の画像に差し替えられてもよい。
【００４８】
（変形例４）
本発明は、文書に広告を付加する態様を採用することができる。広告を付加した場合、広告主から広告に係る代金を徴収することで、かかる代金を文書の配達料金に充当することが可能である。そうすると、記入者に課される課金額を減らし、又は無料にすることが可能になる。
【００４９】
広告を表す広告データは、上述した実施形態における付加画像データに代えて用いられることが可能である。すなわち、広告データは、さまざまな広告主のものがデータベースとして記憶されており、文書情報と対応するものが選択されてコンテンツデータに含められることが可能である。文書情報と広告データとの対応付けは、上述した種別を指定することで行われるほか、例えば、記入者の趣味や嗜好を指定することで行われてもよいし、記入者が広告主自体を指定できるようにしてもよい。
また、広告データにハイパーリンク機能を設定しておき、第三者通信端末４００を利用するユーザが、広告が表示された表示領域（いわゆるバナー）を操作部４３０などを用いて指定することにより、その広告主のサイトにジャンプできるよう構成してもよい。また、広告データをいわゆるアフィリエイトにより実現してもよい。この場合、第三者通信端末４００が広告が表示された表示領域を選択し、ジャンプした広告主のサイトで買い物することにより、記入者であるユーザに金銭の支払いが行われたり、課金額の減額や無料化がされたりするよう構成することができる。
【００５０】
（変形例５）
上述した実施形態において、コンテンツデータの削除の時期を、ユーザが指定できるようにしてもよい。この場合、公開希望日時の設定と同様にして、削除するコンテンツデータの識別番号やその削除の時期を指定できるように、文書用紙や各装置が構成されていればよい。この場合、サーバ装置３００の制御部３１０は、削除対象とするコンテンツデータに関する情報が記載された領域について文字認識処理を行って、コンテンツデータの削除を希望する日時を特定する。これにより、１週間などの期間限定でコンテンツデータを配信する場合にも、記入者は必要な設定操作を事前に行うことができる。なお、上述した実施形態において、コンテンツデータの削除に係る構成を省いても良い。
【００５１】
（変形例６）
上述した実施形態では、サーバ装置３００は、コンテンツデータを公開データ格納部３５０に格納することによって、コンテンツデータの内容を公開するようにしていた。これに代えて、サーバ装置３００は、記憶部３２０に記憶されたコンテンツデータの内容の公開・非公開を、それそれのコンテンツデータに対応付けて記憶された公開希望日時に応じて切り替えてもよい。すなわち、記憶部３２０及び公開データ格納部３５０が別々のハードウェアでなく、一体化されていてもよい。この構成の場合、サーバ装置３００は、公開希望日時が到来したコンテンツデータの内容の公開するものとして、第三者通信端末４００からの要求に応じて、第２通信部３４０によってコンテンツデータを配信する。一方、サーバ装置３００は、公開希望日時が到来していないコンテンツデータの内容を公開しないものとし、コンテンツデータを配信しない。要するに、配信システム１０のサーバ装置３００は、コンテンツデータの内容を公開するものについてはそのコンテンツデータをネットワークＮＷ２を経由して配信し、公開しないものについてはそのコンテンツデータを配信しないよう制御する。
【００５２】
（変形例７）
本発明において、文書情報と画像データ（付加画像データ）との対応付けは、文字認識処理によって認識された文字の特徴に基づいて行われてもよい。ここでいう「特徴」は、文字の字体や巧拙などであり、周知の適当なアルゴリズムによって判定される。本例は、例えば、文字が男性的であると判定された場合には、男性に好まれる画像データを文書情報と対応付け、文字が女性的であると判定された場合には、女性に好まれる画像データを文書情報と対応付ける、といった具合に実施される。なお、ここでいう画像データは、変形例４の広告データに置き換えられてもよい。
【００５３】
また、文書情報と画像データとの対応付けは、文字認識処理によって認識された文字に所定のキーワードが含まれるか否かを判定することで行われてもよい。本例は、例えば、文字認識処理によって認識された文字に「誕生日」というキーワードが含まれていれば、誕生日に対応する画像（バースデーケーキの画像、「Happy birthday」と書かれた画像など）の画像データを文書情報と対応付ける、といった具合に実施される。
【符号の説明】
【００５４】
１０…配信システム、１００…デジタルペン、２００、…通信端末、３００…サーバ装置、３１０…制御部、３１１…データ生成処理部、３１１１…取得部、３１１２…特定部、３１１３…生成部、３１１４…出力部、３１２…転送処理部、３１３…通信処理部、３１４…課金処理部、３１５…識別処理部、３２０…記憶部、３３０…第１通信部、３４０…第２通信部、３５０…公開データ格納部、４００…第三者通信端末。
【図１】
2010262536.tif 000003
【図２】
2010262536.tif 000004
【図３】
2010262536.tif 000005
【図４】
2010262536.tif 000006
【図５】
2010262536.tif 000007
【図６】
2010262536.tif 000008
【図７】
2010262536.tif 000009
【図８】
2010262536.tif 000010
【図９】
2010262536.tif 000011
【図１０】
2010262536.tif 000012
【図１１】
2010262536.tif 000013